(57)【要約】【課題】一連の洗浄動作が完了した後にボウル部内に汚物が残ることを抑制する便器装置を提供する。【解決手段】ボウル部内に直接面した便器上縁の内側壁面に沿って略水平に洗浄水を吐水するボウル給水口と、前記ボウル部の底部に連通されたトラップへサイホン作用を誘発させるための洗浄水を噴出するトラップ給水口とを備えた便器装置において、前記ボウル給水口と前記トラップ給水口の夫々に洗浄水を供給するとともに前記トラップ給水口への洗浄水の供給中に前記ボウル給水口への洗浄水供給を制御する洗浄水制御手段を設けた。【選択図】　図１
2004027507.tif 000002
【特許請求の範囲】
【請求項１】
ボウル部内に直接面した便器上縁の内側壁面に沿って略水平に洗浄水を吐水するボウル給水口と、前記ボウル部の底部に連通されたトラップへサイホン作用を誘発させるための洗浄水を噴出するトラップ給水口とを備えた便器装置において、前記ボウル給水口と前記トラップ給水口の夫々に洗浄水を供給するとともに前記トラップ給水口への洗浄水の供給中に前記ボウル給水口への洗浄水供給を制御する洗浄水制御手段を設けたことを特徴とする便器装置。
【請求項２】
ボウル部の上部周縁に形成され前記ボウル部に洗浄水を供給するために下面に連続したスリット状の吐水開口部を有するリム通水路に洗浄水を略水平に吐水するボウル給水口と、前記ボウル部の底部に連通されたトラップへサイホン作用を誘発させるための洗浄水を噴出するトラップ給水口とを備えた便器装置において、前記ボウル給水口と前記トラップ給水口の夫々に洗浄水を供給するとともに前記トラップ給水口への洗浄水の供給中に前記ボウル給水口への洗浄水供給を制御する洗浄水制御手段を設けたことを特徴とする便器装置。
【請求項３】
前記洗浄水制御手段は、給水圧にかかわらず所定の流量を得る弁機構を備えたことを特徴とする請求項１または２に記載の便器装置。
【請求項４】
前記洗浄水制御手段は、給水圧または洗浄水の流量を検出する検出手段を備え、前記検出手段により検出された値が予め設定された値に満たない場合は、前記トラップ給水口への洗浄水の供給中に前記ボウル給水口への洗浄水を供給しないように制御することを特徴とする請求項１乃至３のいずれかに記載の便器装置。
【発明の詳細な説明】
【０００１】
【発明の属する技術分野】
本発明は、便器のボウル部を洗浄するための洗浄水を吐水するボウル給水口と、前記ボウル部の底部に連通されたトラップへサイホン作用を誘発させるための洗浄水を噴出するトラップ給水口とを備えた便器装置に関する。
【０００２】
【従来の技術】
従来、この種の便器装置として、特開２００１−７３４３４号公報に開示されたものは、便器のボウル部を洗浄するための洗浄水をボウル部全体に行き渡らせるためにボウル部の上部に設けられ下面が連続したスリット状に開放されたリム通水路と、リム通水路へ洗浄水を略水平に吐水するボウル給水口と、ボウル部の底部に連通されたトラップへサイホン作用を誘発させるための洗浄水を噴出するトラップ給水口と、給水源の圧力を利用してボウル給水口とトラップ給水口の夫々に洗浄水を供給する洗浄水制御手段とを備えている。
【０００３】
この便器装置は、使用者からの洗浄命令が入力されると、まずボウル給水口へ所定時間だけ洗浄水を供給することでボウル部を洗浄する前洗浄を行い、続いてトラップ給水口へ所定時間だけ洗浄水を供給することでトラップにサイホン作用を発生させてボウル部内の汚物や溜水を排出させるジェット洗浄を行ない、最後に再びボウル給水口へ所定時間だけ洗浄水を供給することでトラップおよびボウル部に洗浄水を貯溜して溜水を形成する後洗浄を行なって、一連の洗浄動作を完了する。
【０００４】
【発明が解決しようとする課題】
しかしながら、この便器装置ではボウル給水口またはトラップ給水口のどちらか一方に洗浄水を供給している間は他方へ洗浄水を供給しない。また、この便器装置はリム通水路の下面が開放されている所謂オープンリムであるので、リム通水路内での洗浄水の滞留が殆どなくボウル給水口への洗浄水の供給が終了すると直にボウル部への洗浄水の流入が停止する。別形態のボックスリムのリム通水路のようにボウル給水口への洗浄水の供給が終了した後もリム通水路内に滞留した洗浄水が複数の射水孔から流出してボウル部に流下して洗浄を行なうが、前記便器装置にあっては、ボウル給水口への洗浄水の供給が終了した後のボウル部の洗浄水は行われない。
このため、ボウル部内の汚物や溜水がジェット洗浄によって便器外に排出される際に、溜水の上面を浮遊している汚物がボウル部の表面に載った場合には一連の洗浄動作が完了した後もボウル部内に汚物が残ることになる。
【０００５】
そこで、本発明の目的は、一連の洗浄動作が完了した後にボウル部内に汚物が残ることを抑制する便器装置を提供することにある。
【０００６】
【課題を解決するための手段およびその作用・効果】
上記課題を解決するために、請求項１に記載の発明は、ボウル部内に直接面した便器上縁の内側壁面に沿って略水平に洗浄水を吐水するボウル給水口と、前記ボウル部の底部に連通されたトラップへサイホン作用を誘発させるための洗浄水を噴出するトラップ給水口とを備えた便器装置において、前記ボウル給水口と前記トラップ給水口の夫々に洗浄水を供給するとともに前記トラップ給水口への洗浄水の供給中に前記ボウル給水口への洗浄水供給を制御する洗浄水制御手段を設けたことを特徴とする。
そうすることにより、洗浄水をトラップ給水口へ供給中にボウル給水口へも供給され、ボウル部の表面に載った汚物をボウル部の底部に連通されたトラップに洗い落とせるので、トラップ給水口から噴出される洗浄水とともに便器外に排出することが可能となる。
【０００７】
また、請求項２に記載の発明は、ボウル部の上部周縁に形成され前記ボウル部に洗浄水を供給するために下面に連続したスリット状の吐水開口部を有するリム通水路に洗浄水を略水平に吐水するボウル給水口と、前記ボウル部の底部に連通されたトラップへサイホン作用を誘発させるための洗浄水を噴出するトラップ給水口とを備えた便器装置において、前記ボウル給水口と前記トラップ給水口の夫々に洗浄水を供給するとともに前記トラップ給水口への洗浄水の供給中に前記ボウル給水口への洗浄水供給を制御する洗浄水制御手段を設けたことを特徴とする。
そうすることにより、洗浄水をトラップ給水口へ供給中にボウル給水口へも供給され、ボウル部の表面に載った汚物をボウル部の底部に連通されたトラップに洗い落とせるので、トラップ給水口から噴出される洗浄水とともに便器外に排出することが可能となる。
【０００８】
本発明の好ましい態様として、請求項３に記載の発明は、前記洗浄水制御手段は、給水圧にかかわらず所定の流量を得る弁機構を備えたことを特徴とする。
そうすることにより、洗浄水をボウル給水口またはトラップ給水口のみへ供給した場合の流量と、ボウル給水口とトラップ給水口へ同時に供給した場合の流量とを同一にできるので、洗浄水の節水ができるとともに、流量と吐水時間の積で求められる総流量の算出が容易になる。
【０００９】
本発明の好ましい態様として、請求項４に記載の発明は、前記洗浄水制御手段は、給水圧または洗浄水の流量を検出する検出手段を備え、前記検出手段により検出された値が予め設定された値に満たない場合は、前記トラップ給水口への洗浄水の供給中に前記ボウル給水口へは洗浄水を供給しないことを特徴とする。
そうすることにより、トラップ給水口へ供給される洗浄水の流量が不足することによって生じる汚物を含んだ溜水のトラップからボウル部内への戻りを防止することが可能となる。
【００１０】
【発明の実施の形態】
図１は本発明に係る便器装置のボウル給水状態を示す概略構成図、図２は本発明に係る便器装置のトラップとボウルの同時給水状態を示す概略構成図、図３は本発明に係る便器装置における洗浄過程のタイミングチャートである。
【００１１】
本実施形態の便器装置１は、洋式の便器２と、便器２と給水源である水道管８との間に配置された洗浄水制御手段である洗浄水供給装置３とで構成されている。便器２には、ボウル部４内の汚物を排出するトラップ５と、トラップ５に洗浄水を噴出するトラップ給水口６と、トラップ５とボウル部４とを区画するための隔壁７とが設けられ、隔壁７の下縁部７ａより排水方向Ｄ寄りに洗浄水のトラップ給水口６が配置されている。ボウル部４の上部にはリム部１１が形成され、リム部１１のボウル部４内に直接面した内側壁面１１ａに沿ってボウル部４の洗浄水が供給される。
【００１２】
また、便器２の空洞部２ａには、水道管８から送給される洗浄水をトラップ給水口６へ供給するためのトラップ給水路９と、リム部１１の内側壁面１１ａを経由してボウル部４へ洗浄水を供給するために略水平にボウル給水口１０ａが穿設されたボウル給水路１０などを備えている。洗浄水供給装置３は、出水命令に基づいて、ボウル給水路１０への洗浄水の送出、トラップ給水路９への洗浄水の送出を所定時間を隔てて順番に開始し、その後、送水を停止する機能と、ボウル給水路１０およびトラップ給水路９へ送出する洗浄水流量が設定流量に達するまで段階的に増大させる機能を有している。
【００１３】
洗浄水供給装置３は、水道管８から送給される洗浄水を導入するための導水管１２と、導水管１２に導入される洗浄水を給水圧にかかわらず所定の流量にする定流量弁１８と、定流量弁１８の下流側に設けられ洗浄水の圧力を検出する圧力センサ２６と、洗浄水をトラップ給水路９、ボウル給水路１０へ分配する洗浄水分配室１３と、洗浄水分配室１３で分配された洗浄水をそれぞれトラップ給水路９、ボウル給水路１０へ送給するトラップ給水ポート１４およびボウル給水ポート１５と、大気を導入するためトラップ給水ポート１４およびボウル給水ポート１５にそれぞれ配置された負圧破壊弁１６，１７などを備えている。
【００１４】
洗浄水分配室１３には、モータ（図示せず）によって駆動軸１９と共に時計回り、反時計回りに回動するカム２０およびモータ（図示せず）によって時計回り、反時計回りに回転する扇形の切替弁２１が設けられ、洗浄水分配室１３の下方には、導水管１２からの導水経路を開閉するダイヤフラム式の主弁２２と、主弁２２の中心に立設された弁軸２３と、弁軸２３に連結されたパイロット弁２４と、パイロット弁２４が収納され水道管８からの水圧によって主弁２２を開閉させる圧力室２５などが設けられている。
【００１５】
便器装置１において、洗浄水供給装置３に出水命令が送信されると、モータ（図示せず）が作動して駆動軸１９が時計回りに回転し、駆動軸１９とともにカム２０が時計回りに所定角度回転して、カム２０が弁軸２３に当接してこれを傾斜させることでパイロット弁２４を開き、これによって圧力室２５の圧力が逃がされて主弁２２が開弁し、導水管１２から洗浄水分配室１３内へ洗浄水が導入される。
【００１６】
このとき、切替弁２１はトラップ給水ポート１４の出水口１４ａを閉止しつつ、ボウル給水ポート１５の出水口１５ａを開くように位置するので、図１に示す如く定流量弁１８によって所定の流量にされた洗浄水は洗浄水分配室１３から出水口１５ａへ流れ込んで負圧破壊弁１７を押し上げてボウル給水ポート１５からボウル給水路１０を経由してボウル給水口１０ａからリム部１１へ吐水される。リム部１１へ吐水された洗浄水は便器２のリム部１１を周回しながらボウル部４へ落下していき、この周回落下過程でボウル部４を洗浄する前リム洗浄が行われる。
【００１７】
所定時間が経過すると、モータ（図示せず）によって切替弁２１が時計回りに回転してボウル給水ポート１５の出水口１５ａを閉止しつつトラップ給水ポート１４の出水口１４ａを開放していき、ボウル給水ポート１５の出水口１５ａを閉止した時点で停止するので、定流量弁１８によって所定の流量にされた洗浄水は洗浄水分配室１３から出水口１４ａへ流れ込んで負圧破壊弁１６を押し上げてトラップ給水路９へ流入し、便器２のトラップ給水口６からトラップ５に向かって噴出され、ジェット洗浄が行われる。トラップ給水口６からトラップ５への洗浄水噴出が一定時間継続されるとトラップ５にサイホン作用が発生し、これによってボウル部４内の汚物は溜水Ｗとともに排出されるが、溜水Ｗの上面を浮遊している汚物がボウル部４の表面に載った状態で残ることがある。尚、このジェット洗浄はサイホン作用が終了した時に汚物を含んだ溜水Ｗがトラップ５からボウル部４内に戻ることを防止するため、サイホン作用の終了後も一定時間継続される。
【００１８】
トラップ給水口６からの洗浄水噴出が一定時間行われると、切替弁２１は反時計回りに所定角度回転してトラップ給水ポート１４の出水口１４ａを僅かに閉止するとともにボウル給水ポート１５の出水口１５ａを僅かに開放して停止するので、図２に示す如く定流量弁１８によって所定の流量にされた洗浄水は洗浄水分配室１３から、その多くが出水口１４ａへ流れ込んでトラップ給水口６からトラップ５に向かって噴出され、残りの一部が出水口１５ａへ流れ込みボウル給水口１０ａからリム部１１へ吐水される。このリム部１１へ吐水された洗浄水によってボウル部４の表面に載った汚物をトラップ５に洗い落とし、トラップ給水口６から噴出される洗浄水によって汚物を便器外に排出する。また、リム部１１へ吐水された洗浄水がトラップ５に流下することで、サイホン作用の終了により溜水Ｗがなくなったトラップ給水口６の表面を洗浄水で満たすので、トラップ給水口６からの洗浄水の噴出音が小さくなる。
【００１９】
更に、定流量弁１８によって所定の流量にされた洗浄水をトラップ給水口６とボウル給水口１０ａに分配しているので、トラップ給水口６から噴出される洗浄水の流量とボウル給水口１０ａから吐水される洗浄水の流量の和は、トラップ給水口６およびボウル給水口１０ａの夫々から単独で便器２に供給する場合の流量と同じである。この結果、トラップ給水口６とボウル給水口１０ａとから同時に便器２に洗浄水を供給する場合には節水ができるとともに、流量と吐水時間の積で求められる総流量の算出も容易になる。
【００２０】
尚、このとき圧力センサ２６によって洗浄水の圧力を検出し、検出された値が予め設定された値に満たない場合は、切替弁２１を反時計回りに所定角度回転することでトラップ給水ポート１４の出水口１４ａを僅かに閉止するとともにボウル給水ポート１５の出水口１５ａを僅かに開放する動作を行なわず、ジェット洗浄を継続する。そうすることにより、汚物を含んだ溜水Ｗがトラップ５からボウル部４内に戻ることを防止している。
【００２１】
トラップ給水口６からの洗浄水噴出が一定時間行われると、切替弁２１が更に反時計回りに所定角度回転してトラップ給水ポート１４の出水口１４ａを閉止するとともにボウル給水ポート１５の出水口１５ａを開放するので、図１に示す如く定流量弁１８によって所定の流量にされた洗浄水は洗浄水分配室１３から再び出水口１５ａへ流れ込みボウル給水路１０を経由してボウル給水口１０ａからボウル部４へ吐水され溜水Ｗを形成する後リム洗浄を行なう。このとき、ボウル給水口１０ａから吐水される洗浄水の流量は定流量弁１８によって所定の流量にされているため、ボウル給水口１０ａからの吐水時間のみを制御することで溜水Ｗが形成できる。溜水Ｗを形成するために必要な時間だけ洗浄水を供給させた後、駆動軸１９は反時計回りに回転し、カム２０が弁軸２３から離脱して主弁２２が閉じて洗浄水の導入を停止した時点で停止する。
【００２２】
このような便器装置１の便器洗浄過程におけるボウル給水およびトラップ給水の流量と時間との関係を図示すると図３に示すタイミングチャートとなる。図３に示す如く、出水命令があるとボウル給水を開始させて所定の流量の前リム洗浄を行ない、この状態を所定時間維持した後、ボウル給水を停止させつつトラップ給水を始めて所定の流量のジェット洗浄を行なう。このジェット洗浄が一定時間行われると、トラップ給水の流量を所定の流量よりも少なくし、その少なくなった流量をボウル給水に用いる。この後、所定時間が経過するとトラップ給水量を減少するとともにボウル給水を再開して、所定の流量のボウル給水を所定時間継続した後、ボウル給水を停止させて一連の洗浄動作を終了する。
【００２３】
このようにトラップ給水の流量を所定の流量よりも少なくし、その少なくなった流量をボウル給水に用いることにより、ボウル部４の表面に載った汚物をトラップ５に洗い落とし、トラップ給水口６から噴出される洗浄水によって汚物を便器外に排出することが可能となる。また、リム部１１へ吐水された洗浄水がトラップ５に流下することで、サイホン作用の終了により溜水Ｗがなくなったトラップ給水口６の表面を洗浄水で満たすので、トラップ給水口６からの洗浄水の噴出音が小さくすることも可能となる。
【００２４】
尚、本実施形態では、図２に示すように、切替弁２１によってトラップ給水ポート１４の出水口１４ａを僅かに閉止するとともにボウル給水ポート１５の出水口１５ａを僅かに開放することでトラップ給水とボウル給水を同時におこなっているが、これに限定されず、例えばトラップ給水路とボウル給水路とを連通させるバイパス流路を設けてもよい。バイパス流路を設ける場合には、トラップ給水路からボウル給水路へ分配される洗浄水の流量を制御するために、バイパス流路に絞りや定流量弁を設けてもよい。そして、トラップ給水の場合に、常にボウル給水されることを防止するために、バイパス流路に開閉弁を設けてもよい。また、ボウル給水の場合に、バイパス流路からトラップ給水されることを防止するために、バイパス流路に逆止弁を設けてもよい。
【００２５】
また、トラップ給水中のボウル給水のタイミングも図３に示されるタイミングチャートに限定するものではないので、例えばトラップ給水と同時にボウル給水を開始するなど、使用条件に応じて適宜設定することができる。
【００２６】
また、本発明に係る便器装置の便器のリム部の形態としては、図１に示す本実施形態のリム部１１の他に、下面が連続したスリット形状の所謂オープンリムタイプの形態であってもよい。
【図面の簡単な説明】
【図１】本発明に係る便器装置のボウル給水状態を示す概略構成図。
【図２】本発明に係る便器装置のトラップとボウルの同時給水状態を示す概略構成図。
【図３】本発明に係る便器装置における洗浄過程のタイミングチャート。
【符号の説明】
１…便器装置
２…便器
３…洗浄水供給装置
４…ボウル部
５…トラップ
６…トラップ給水口
７…隔壁
７ａ…下縁部
８…水道管
９…トラップ給水路
１０…ボウル給水路
１０ａ…ボウル給水口
１１…リム部
１１ａ…内側壁面
１２…導水管
１３…洗浄水分配室
１４…トラップ給水ポート
１５…ボウル給水ポート
１４ａ，１５ａ…出水口
１６，１７…負圧破壊弁
１８…定流量弁
１９…駆動軸
２０…カム
２１…切替弁
２２…主弁
２３…弁軸
２４…パイロット弁
２５…圧力室
２６…圧力センサ
Ｗ…溜水
Ｄ…排水方向
【図１】
2004027507.tif 000003
【図２】
2004027507.tif 000004
【図３】
2004027507.tif 000005